(57)【要約】  小型の電気機器や通信機器のハウジングケース（１）は、当該ハウジングケース正面部分の寸法と略同一の寸法であり少なくともガラス板で構成される平面板（２）と、前記平面板（２）の裏面周縁部を支持するように前記平面板（２）に一体化された樹脂枠（３）とを備える。
2008035736.tif 000002
【特許請求の範囲】
【請求項１】
小型の電気機器や通信機器のハウジングケースであって、当該ハウジングケース正面部分の寸法と略同一の寸法であり少なくともガラス板で構成される平面板と、前記平面板の裏面周縁部を支持するように前記平面板に一体化された樹脂枠とを備えたことを特徴とするハウジングケース。
【請求項２】
前記平面板が、前記ガラス板の裏面に加飾が施されたものである請求項１に記載のハウジングケース。
【請求項３】
前記機器が表示装置を備えたものであり、前記平面板が、少なくとも前記表示装置のための表示窓部を除いて、前記ガラス板の表面または／および裏面に加飾が施されたものである請求項１に記載のハウジングケース。
【請求項４】
前記ガラス板の裏面に加飾が施されておらず、前記ガラス板の裏面と前記樹脂枠とが、ガラス用接着剤層、プライマー層、樹脂用接着剤層を介して一体化されている請求項１又は３に記載のハウジングケース。
【請求項５】
前記ガラス板の裏面に加飾が施され、且つ前記加飾を構成する層が前記平面板の裏面と前記樹脂枠との一体化部分においてガラス用接着剤層を兼ねており、前記平面板の裏面と前記樹脂枠とが、プライマー層、樹脂用接着剤層を介して一体化されている請求項２又は３に記載のハウジングケース。
【請求項６】
前記平面板が、開口部を有している請求項１から５のいずれか一項に記載のハウジングケース。
【請求項７】
前記開口部の周囲を支持するように前記平面板に一体化された開口部用樹脂枠をさらに備えた請求項６に記載のハウジングケース。
【請求項８】
前記平面板の側面を前記樹脂枠が覆っている請求項１から７のいずれか一項に記載のハウジングケース。
【請求項９】
前記平面板と前記樹脂枠との一体化物が箱型である請求項１から８のいずれか一項に記載のハウジングケース。
【請求項１０】
前記樹脂枠が、前記平面板の裏面周縁部全周を支持している請求項１から９のいずれか一項に記載のハウジングケース。
【請求項１１】
前記樹脂枠が、前記平面板の裏面周縁部のうち１〜３辺を支持している請求項１から９のいずれか一項に記載のハウジングケース。
【請求項１２】
前記樹脂枠が、複数に分割されて前記平面板の裏面周縁部を支持している請求項１から９のいずれか一項に記載のハウジングケース。
【請求項１３】
前記樹脂枠が、成形収縮率０．６％以下の樹脂材料からなる請求項１から１２のいずれか一項に記載のハウジングケース。
【請求項１４】
型締めによって固定型と可動型との間にガラス板を主構成とする平面板を挟持するとともに、前記平面板の前記固定型との対向面周縁部及び前記平面板の端面が面するキャビティを形成するガラスインサート成形用金型であって、
前記固定型が、前記平面板の当該固定型との対向面周縁部に接する底部と当該底部に連続して前記平面板の端面に位置決め可能に接触する壁部とを先端に有するスライドコアと、
前記平面板を挟持する面に設けられた吸引孔とを備え、
さらに前記スライドコアが、先端底部を前記固定型の前記平面板を挟持する面より突出させず且つ先端壁部を前記平面板と接触させる平面板位置決め位置と、前記先端底部及び前記先端壁部を共に前記平面板と離間させるキャビティ形成位置との間を、型締め方向に進退可能であることを特徴とするガラスインサート成形用金型。
【請求項１５】
前記スライドコアが、前記平面板の全周に対して部分的に設けられている請求項１４に記載のガラスインサート成形用金型。
【請求項１６】
前記スライドコアが、さらに前記先端底部を前記固定型の前記平面板を挟持する面より突出させるガラスインサート成形品押出し位置まで前進可能である請求項１４又は１５に記載のガラスインサート成形用金型。
【請求項１７】
請求項１４又は１５に記載のガラスインサート成形用金型を用いたハウジングケースの製造方法であって、
前記スライドコアを前記平面板位置決め位置に移動させた状態で、前記固定型の前記平面板を挟持する面に前記平面板を配置する工程と、
位置決めされた前記平面板を前記平面板を挟持する面に吸着固定する工程と、
前記平面板を吸着した前記固定型と前記可動型とを型締めする工程と、
型締め後に、前記スライドコアを前記キャビティ形成位置に移動させた状態で、キャビティ内に溶融樹脂を射出することにより前記平面板に樹脂枠を一体化する工程とを備えたことを特徴とするハウジングケースの製造方法。
【請求項１８】
請求項１６に記載のガラスインサート成形用金型を用いたハウジングケースの製造方法であって、
前記スライドコアを前記平面板位置決め位置に移動させた状態で、前記固定型の前記平面板を挟持する面に前記平面板を配置する工程と、
位置決めされた前記平面板を前記平面板を挟持する面に吸着固定する工程と、
前記平面板を吸着した前記固定型と前記可動型とを型締めする工程と、
型締め後に、前記スライドコアを前記キャビティ形成位置に移動させた状態で、キャビティ内に溶融樹脂を射出することにより前記平面板に樹脂枠を一体化する工程と
型開き後に、前記スライドコアを前記ガラスインサート成形品押出し位置に移動させる工程とを備えたことを特徴とするハウジングケースの製造方法。
【請求項１９】
前記平面板が、前記ガラス板に加飾が施されたものである請求項１７又は１８に記載のハウジングケースの製造方法。
【請求項２０】
前記平面板が、前記ガラス板にガラス用接着剤層、プライマー層、樹脂用接着剤層を順次形成されたものである請求項１７から１９のいずれか一項に記載のハウジングケースの製造方法。
【請求項２１】
前記平面板が、前記固定型と前記可動型によって挟持される部分に開口部を有している請求項１７から２０のいずれか一項に記載のハウジングケースの製造方法。
【請求項２２】
前記溶融樹脂の材料が、成形収縮率０．６％以下のものである請求項１７から２１のいずれか一項に記載のハウジングケースの製造方法。
【請求項２３】
さらに、前記平面板を吸着した前記固定型と前記可動型との間に転写フィルムを挟み込み可能である成形同時絵付け手段を備えた請求項１４から１６のいずれか一項に記載のガラスインサート成形用金型。
【請求項２４】
さらに、前記平面板を吸着した前記固定型と前記可動型との間に転写フィルムを挟み込む工程を備え、溶融樹脂の射出と同時に前記転写フィルムの絵付け部分を前記平面板に一体化された前記樹脂枠に転写する請求項１７から２２のいずれか一項に記載のハウジングケースの製造方法。
【発明の詳細な説明】
【技術分野】
【０００１】
本発明は、小型の電気機器や通信機器のハウジングケースであって、ハウジングケースの正面部、特にＬＣＤ等の表示画面を覆う部分に充分な硬度を与えることができるハウジングケースと、当該ハウジングケースの製造方法とこれに用いるガラスインサート成形用金型に関する。
【背景技術】
【０００２】
小型の電気機器や通信機器、例えば洋服やカバンの中に保持されて、持ち運びされるデジタルオーディオプレーヤーや携帯電話は、誤って落下させてしまったり、カバンの中の他のものにぶつかったりして、表面に衝撃を受ける場合が多い。【０００３】
このため、これらの機器のハウジングケースは、耐傷性を高めるためにハウジングケースの正面となる部分、特にＬＣＤ等の表示画面を覆う部分に高い硬度のハードコート層を積層する必要がある。例えば特許文献１には、ベースフィルム上に剥離層、ハードコート層１０３、印刷層、接着層、を順次積層してなり、前記ハードコート層１０３は、ハウジングケース１００の正面となる部分では高硬度とするようにハードコートを積層し、前記印刷層には非印刷部１０２を有する印刷パターンを複数設けた連続フィルムを、ガラスインサート成形用金型内に連続して通過させ、該ガラスインサート成形用金型内で、前記連続フィルムの接着層側に透明な合成樹脂を射出することにより、前記連続フィルムを前記ガラスインサート成形用金型のキャビティ形状に絞りながら合成樹脂層１０１を形成し、該合成樹脂層の硬化後、ハードコート層１０３、印刷層、接着層及び合成樹脂層１０１をベースフィルム及び剥離層から取り外してなるハウジングケース１００（図３８参照）が開示されている。なお、図３８中の１０４はＬＣＤの表示画面を覆う表示窓、１０５はボタン孔である。【０００４】
ハードコート層１０３は、通常、熱硬化型樹脂、あるいは紫外線硬化型樹脂等の活性エネルギー線重合性樹脂をプラスチック基材上に直接、或いは０．０３〜０．５μｍ程度のプライマー層を介して３〜１０μｍ程度の薄い塗膜を形成して製造している。【０００５】
しかしながら、薄い塗膜からなるハードコート層１０３では、ハウジングケースの正面部分、特に高い硬度が要求されるＬＣＤ等の表示画面を覆う部分の硬さとしては充分でない。【０００６】
したがって、本発明は、上記の課題に鑑みてなされたものであり、ハウジングケースの正面部分、特にＬＣＤ等の表示画面を覆う部分に充分な硬度を与えることができるハウジングケースと、当該ハウジングケースの製造方法とこれに用いるガラスインサート成形用金型を提供することを目的とする。
【特許文献１】特開２００１−３６２５８号公報
【発明の開示】
【０００７】
上記目的を達成するための本発明に係るハウジングケースの特徴構成は、小型の電気機器や通信機器に用いられ、当該ハウジングケース正面部分の寸法と略同一の寸法であり少なくともガラス板で構成される平面板と、前記平面板の裏面周縁部を支持するように前記平面板に一体化された樹脂枠とを備える点にある。
【０００８】
また、前記ハウジングケースは、前記平面板が、前記ガラス板の裏面に加飾が施されたものであると好適である。
【０００９】
また、前記ハウジングケースは、前記機器が表示装置を備えたものであり、前記平面板が、少なくとも前記表示装置のための表示窓部を除いて、前記ガラス板の表面または／および裏面に加飾が施されたものであると好適である。
【００１０】
また、前記ハウジングケースは、前記ガラス板の裏面に加飾が施されておらず、前記ガラス板の裏面と前記樹脂枠とが、ガラス用接着剤層、プライマー層、樹脂用接着剤層を介して一体化されていると好適である。
【００１１】
また、前記ハウジングケースは、前記ガラス板の裏面に加飾が施され、且つ前記加飾を構成する層が前記平面板の裏面と前記樹脂枠との一体化部分においてガラス用接着剤層を兼ねており、前記平面板の裏面と前記樹脂枠とが、プライマー層、樹脂用接着剤層を介して一体化されていると好適である。
【００１２】
また、前記ハウジングケースは、前記平面板が、開口部を有していると好適である。
【００１３】
また、前記ハウジングケースは、前記開口部の周囲を支持するように前記平面板に一体化された開口部用樹脂枠をさらに備えると好適である。
【００１４】
また、前記ハウジングケースは、前記平面板の側面を前記樹脂枠が覆っていると好適である。
【００１５】
また、前記ハウジングケースは、前記平面板と前記樹脂枠との一体化物が箱型であると好適である。
【００１６】
また、前記ハウジングケースは、前記樹脂枠が、前記平面板の裏面周縁部全周を支持していると好適である。
【００１７】
また、前記ハウジングケースは、前記樹脂枠が、前記平面板の裏面周縁部のうち１〜３辺を支持していると好適である。
【００１８】
また、前記ハウジングケースは、前記樹脂枠が、複数に分割されて前記平面板の裏面周縁部を支持していると好適である。
【００１９】
また、前記ハウジングケースは、前記樹脂枠が、成形収縮率０．６％以下の樹脂材料からなると好適である。
【００２０】
また、上記目的を達成するための本発明に係るハウジングケースの形成に用いられるガラスインサート成形用金型の特徴構成は、型締めによって固定型と可動型との間にガラス板を主構成とする平面板を挟持するとともに、前記平面板の前記固定型との対向面周縁部及び前記平面板の端面が面するキャビティを形成され、前記固定型が、前記平面板の当該固定型との対向面周縁部に接する底部と当該底部に連続して前記平面板の端面に位置決め可能に接触する壁部とを先端に有するスライドコアと、前記平面板を挟持する面に設けられた吸引孔とを備え、さらに前記スライドコアが、先端底部を前記固定型の前記平面板を挟持する面より突出させず且つ先端壁部を前記平面板と接触させる平面板位置決め位置と、前記先端底部及び前記先端壁部を共に前記平面板と離間させるキャビティ形成位置との間を、型締め方向に進退可能である点にある。
【００２１】
また、前記ガラスインサート成形用金型は、前記スライドコアが、前記平面板の全周に対して部分的に設けられていると好適である。
【００２２】
また、前記ガラスインサート成形用金型は、前記スライドコアが、さらに前記先端底部を前記固定型の前記平面板を挟持する面より突出させるガラスインサート成形品押出し位置まで前進可能であると好適である。
【００２３】
また、上記目的を達成するための本発明に係るガラスインサート成形用金型を用いたハウジングケースの製造方法の特徴構成は、上記のガラスインサート成形用金型を用い、前記スライドコアを前記平面板位置決め位置に移動させた状態で、前記固定型の前記平面板を挟持する面に前記平面板を配置する工程と、位置決めされた前記平面板を前記平面板を挟持する面に吸着固定する工程と、前記平面板を吸着した前記固定型と前記可動型とを型締めする工程と、型締め後に、前記スライドコアを前記キャビティ形成位置に移動させた状態で、キャビティ内に溶融樹脂を射出することにより前記平面板に樹脂枠を一体化する工程とを備える点にある。
【００２４】
更に、上記目的を達成するための本発明に係るガラスインサート成形用金型を用いたハウジングケースの製造方法の特徴構成は、上記押出し機構を備えたガラスインサート成形用金型を用い、前記スライドコアを前記平面板位置決め位置に移動させた状態で、前記固定型の前記平面板を挟持する面に前記平面板を配置する工程と、位置決めされた前記平面板を前記平面板を挟持する面に吸着固定する工程と、前記平面板を吸着した前記固定型と前記可動型とを型締めする工程と、型締め後に、前記スライドコアを前記キャビティ形成位置に移動させた状態で、キャビティ内に溶融樹脂を射出することにより前記平面板に樹脂枠を一体化する工程と、型開き後に、前記スライドコアを前記ガラスインサート成形品押出し位置に移動させる工程とを備える点にある。
【００２５】
また、前記ハウジングケースの製造方法は、前記平面板が、前記ガラス板に加飾が施されたものであると好適である。
【００２６】
また、前記ハウジングケースの製造方法は、前記平面板が、前記ガラス板にガラス用接着剤層、プライマー層、樹脂用接着剤層を順次形成されたものであると好適である。
【００２７】
また、前記ハウジングケースの製造方法は、前記平面板が、前記固定型と前記可動型によって挟持される部分に開口部を有していると好適である。
【００２８】
また、前記ハウジングケースの製造方法は、前記溶融樹脂の材料が、成形収縮率０．６％以下のものであると好適である。
【００２９】
本発明は、上記のような構成であるため、次のような効果を有する。
本発明のハウジングケースは、ガラス板で構成される平面板と、前記平面板の裏面周縁部を支持するように前記平面板に一体化された樹脂枠とを備えているので、ハウジングケースの正面部分、特にＬＣＤ等の表示画面を覆う部分に充分な硬度を与えることができる。
【００３０】
また、本発明のガラスインサート成形用金型およびハウジングケースの製造方法によれば、ガラス板を主構成とする平面板の裏面周縁部を支持するように樹脂枠が一体化されたハウジングケースを得ることができるので、ハウジングケースの正面部分、特にＬＣＤ等の表示画面を覆う部分に充分な硬度を与えることができる。しかも、ガラスインサート成形用金型に設けられたスライドコアが、裏面周縁部を支持する樹脂枠を成形するためのキャビティを形成するのみならず、平面板の位置決め機構、さらに必要に応じてガラスインサート成形品の押出し機構を兼ねるため、ハウジングケースの製造が低コストで容易に行える。
【図面の簡単な説明】
【００３１】
【図１】は、本発明に係るハウジングケースの一実施例を示す斜視図であり、
【図２】は、図１に示すハウジングケースのＩＩ−ＩＩ線断面図であり、
【図３】は、本発明に係るハウジングケースの他の実施例を示す断面図であり、
【図４】は、本発明に係るハウジングケースの他の実施例を示す断面図であり、
【図５】は、本発明に係るハウジングケースの他の実施例を示す断面図であり、
【図６】は、本発明に係るハウジングケースの他の実施例を示す断面図であり、
【図７】は、本発明に係るハウジングケースの一実施例を示す背面図であり、
【図８】は、本発明に係るハウジングケースの他の実施例を示す背面図であり、
【図９】は、本発明に係るハウジングケースの他の実施例を示す背面図であり、
【図１０】は、本発明に係るハウジングケースの他の実施例を示す背面図であり、
【図１１】は、本発明に係るハウジングケースの他の実施例を示す背面図であり、
【図１２】は、本発明に係るハウジングケースの他の実施例を示す背面図であり、
【図１３】は、本発明に係るハウジングケースの他の実施例を示す斜視図であり、
【図１４】は、本発明に係るハウジングケースの平面板構造の一実施例を示す断面拡大図であり、
【図１５】は、本発明に係るハウジングケースの平面板構造の他の実施例を示す断面拡大図であり、
【図１６】は、本発明に係るハウジングケースの他の実施例を示す斜視図であり、
【図１７】は、本発明に係るハウジングケースの他の実施例を示す斜視図であり、
【図１８】は、本発明に係るガラスインサート成形用金型の固定型の一実施例を可動型側から見た図であり、
【図１９】は、図１８に示す固定型のＸＩＸ−ＸＩＸ線断面図であり、
【図２０】は、固定型に平面板を配置した状態を可動型側から見た図であり、
【図２１】は、図２０に示す固定型のＸＸＩ−ＸＸＩ線断面図であり、
【図２２】は、本発明に係るハウジングケースの製造工程の一実施例を示す断面図であり、
【図２３】は、本発明に係るハウジングケースの製造工程の一実施例を示す断面図であり、
【図２４】は、本発明に係るハウジングケースの製造工程の一実施例を示す断面図であり、
【図２５】は、本発明に係るハウジングケースの製造工程の一実施例を示す断面図であり、
【図２６】は、図１８の固定型を用いて得られたハウジングケースの一例を示す図であり、
【図２７】は、本発明に係るガラスインサート成形用金型の固定型の他の実施例を可動型側から見た図であり、
【図２８】は、本発明に係るガラスインサート成形用金型の固定型の他の実施例を可動型側から見た図であり、
【図２９】は、図２７の固定型を用いて得られたハウジングケースの一例を示す図であり、
【図３０】は、図２８の固定型を用いて得られたハウジングケースの一例を示す図であり、
【図３１】は、本発明に係るガラスインサート成形用金型の固定型の他の実施例を可動型側から見た図であり、
【図３２】は、図３１に示す固定型のＸＸＸＩＩ−ＸＸＸＩＩ線断面図である
【図３３】は、図３１の固定型を用いて得られたハウジングケースの一例を示す図であり、
【図３４】は、本発明に係るガラスインサート成形用金型の固定型の他の実施例を示す断面図であり、
【図３５】は、図１８の固定型を用いて得られたハウジングケースの他の例を示す図であり、
【図３６】は、本発明に係るガラスインサート成形用金型の平面板を吸着した固定型と可動型との間に転写フィルムを挟み込んだ場合における実施例を示す図であり、
【図３７】は、図３６のガラスインサート成形用金型を用いて転写フィルムを挟み込む工程を経た後に型締めした場合における一例を図示したものであり、
【図３８】は、従来のハウジングケースを示す斜視図であり、
【図３９】は、ハードコート層を有するフィルムの代わりにガラス板を金型内に挿入し、ハウジングケースの正面全体にガラス板を一体化させた場合の成形収縮の様子を示す断面図である。
【発明を実施するための最良の形態】
【００３２】
１．ハウジングケース
以下、図面を用いて本発明の実施の形態について詳細に説明する。
図１に示すハウジングケース１は、当該ハウジングケース正面の寸法と略同一の寸法であり少なくともガラス板で構成される平面板２と、前記平面板２の裏面周縁部を支持するように前記平面板に一体化された樹脂枠３とを備えたものである。なお、図１中、（ｂ）は（ａ）の分解図である。図示しないもう一方のバックケースとともに一体化され、これらの内側に、各種電子部品を搭載した基板を保持することにより、小型の電気機器や通信機器が構成される。【００３３】
前記平面板２は、少なくともガラス板で構成され、当該構成によってハウジングケース１の正面部分に充分な硬度（９Ｈ以上）を与えることができる。前記ガラス板としては、普通板ガラス、強化板ガラス、磨き板ガラスなどを用いることができる。また、前記ガラス板の厚みは強度の点から０．３ｍｍ〜２．０ｍｍとするのが好ましい。より好ましくは０．５ｍｍ〜２．０ｍｍ、さらに好ましくは０．８ｍｍ〜１．５ｍｍである。【００３４】
本発明者は、前記課題を解決するための手段として、最初、従来のハウジングケースにおいて、ケース正面のハードコート層１０３に代えて前記平面板２を合成樹脂層に一体化させることを考えていた。すなわち、ケース正面では前記平面板２と合成樹脂層１０１とが全面的に密着する構成である。しかしながら、射出成形用金型内で成形された前記合成樹脂層１０１は、図３９に示されるように冷却固化時に成形収縮し、しかも前記平面板２と全面的に密着している面側では成形収縮せず、反対面側のみで成形収縮が進むため（例えば、図３９の矢印方向）、得られたハウジングケース１０６に反りが発生することがあった。そして、前記平面板２は、反りに耐えられなくなると破損した。【００３５】
そこで、本発明は、前記平面板２の裏面のうち周縁部においてのみ一体化させるように、樹脂枠３とした。例えば、図１においては、前記樹脂枠３は前記平面板２の裏面周縁部全周を支持している。本発明の樹脂枠３は前記平面板２と全面的に密着していないので、当該樹脂枠３が冷却固化時に成形収縮しても、その影響は前記平面板２全面までおよびにくい。したがって、得られたハウジングケースに反りが発生することを防止できる。【００３６】
前記樹脂枠３としては、ポリスチレン系樹脂、ポリオレフィン系樹脂、ＡＢＳ樹脂、ＡＳ樹脂、ＡＮ樹脂などの汎用樹脂を挙げることができる。また、ポリフェニレンオキシド・ポリスチレン系樹脂、ポリカーボネート系樹脂、ポリアセタール系樹脂、ポリアクリル系樹脂、ポリカーボネート変性ポリフェニレンエーテル樹脂、ポリブチレンテレフタレート樹脂、ポリブチレンテレフタレート樹脂、超高分子量ポリエチレン樹脂などの汎用エンジニアリング樹脂やポリスルホン樹脂、ポリフェニレンサルファイド系樹脂、ポリフェニレンオキシド系樹脂、ポリアリレート樹脂、ポリエーテルイミド樹脂、ポリイミド樹脂、液晶ポリエステル樹脂、ポリアリル系耐熱樹脂などのスーパーエンジニアリング樹脂を使用することもできる。とくに成形収縮率０．６％以下の物性を持つ樹脂材料を樹脂枠３に用いると前記反り防止の点でより好ましく、このような樹脂材料としては、例えばポリアクリル系樹脂などが該当する。また、樹脂枠３は、着色されていても、着色されていなくてもよい。【００３７】
前記平面板２と前記樹脂枠３との一体化は、次のようにして行なう。まず、可動型と固定型とからなる成形用金型内に前記平面板２を送り込み、真空吸引等でキャビティ面の所定位置に前記平面板２を固定し、成形用金型を閉じた後、ゲートより溶融樹脂をキャビティ内に射出充満させ、前記樹脂枠３を形成するのと同時にその樹脂枠３に前記平面板２を接着させる。前記樹脂枠３を冷却した後、成形用金型を開いて前記平面板２と前記樹脂枠３との一体化物を取り出す。なお、成形用金型が垂直方向に型開きする縦型の場合、前記平面板２は真空吸引等を行なわずに固定することもできる。【００３８】
なお、前記平面板２と前記樹脂枠３との一体化物は、箱型（図２〜図４参照）とすることもできるし、蓋型（図５、図６参照：破線は対応するバックケース）とすることもできる。なお図２は、図１におけるＩＩ−ＩＩ線断面図であり、図３〜図６は図２の別実施形態である。また、箱型、蓋型に関わらず、図２、図５及び図６に示すように前記平面板２の寸法がハウジングケース１正面の寸法より僅かに小さくすれば、図３及び図４に示すように前記平面板２の寸法がハウジングケース１正面の寸法と同一である場合と比較して、ハウジングケース１の外観デザイン設計の自由度を増すことができる。例えば、ハウジングケース１の角部に丸みを設けるようなデザインが可能である（図２、図５及び図６参照）。また、箱型において、図２及び図３に示すように箱の側壁の厚みよりも前記平面板２と前記樹脂枠３との一体化幅を大きくすれば、その分だけ前記平面板２の支持面積が増加するため、ハウジングケース１の強度を増すことができる。【００３９】
また、前記平面板２の裏面周縁部を粗面化しておけば、前記平面板２と前記樹脂枠３との密着力を向上させることができる。【００４０】
また、本発明のハウジングケース１の構成は、上記した態様に限定されるものではなく、たとえば、前記樹脂枠３が、前記平面板２の裏面周縁部のうち１〜３辺を支持しているようにしてもよいし（図７〜図１０参照）、複数に分割されて前記平面板２の裏面周縁部を支持しているようにしてもよい（図１１及び図１２参照）。これらの場合、当該樹脂枠３が冷却固化時に成形収縮しても、成形収縮の影響が前記平面板２全面までより、およびにくくなる。すなわち、樹脂枠３が前記平面板２の裏面周縁部全周を支持する場合と比べて、ハウジングケースの反り防止効果が向上する。また、樹脂枠３が前記平面板２の裏面周縁部全周を支持しない場合、ハウジングケース１の側面に入出力端子などを設け易い。【００４１】
また、前記平面板２が、前記ガラス板の裏面に加飾が施されたものであってもよい（図示せず）。前記ガラス板は充分な硬度（９Ｈ以上）を有しているため傷付きにくく、当該ガラス板を通して視認される裏面の加飾はその美しさが損なわれることはない。【００４２】
前記ガラス板の裏面への加飾は、加飾層を印刷形成することによって施すと好適である。加飾層の材質としては、ポリ塩化ビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、セルロースエステル系樹脂、アルキド樹脂などの樹脂をバインダーとし、適切な色の顔料または染料を着色剤として含有する着色インキを用いると好適である。印刷方法としては、スクリーン印刷法などを用いると好適である。また、単色ベタの場合には、スプレーコート法などの各種コート法を採用することもできる。【００４３】
また、加飾層は、金属薄膜層からなるもの、あるいは印刷層と金属薄膜層との組み合わせからなるものでもよい。金属薄膜層は、加飾層として金属光沢を表現するためのものであり、真空蒸着法、スパッターリング法、イオンプレーティング法、鍍金法などで形成する。この場合、表現したい金属光沢色に応じて、アルミニウム、ニッケル、金、白金、クロム、鉄、銅、スズ、インジウム、銀、チタニウム、鉛、亜鉛などの金属、これらの合金又は化合物を使用する。部分的な金属薄膜層を形成する場合の一例としては、金属薄膜層を必要としない部分に溶剤可溶性樹脂層を形成した後、その上に全面的に金属薄膜を形成し、溶剤洗浄を行って溶剤可溶性樹脂層と共に不要な金属薄膜を除去する方法がある。この場合によく用いられる溶剤は、水又は水溶液である。また、別の一例としては、全面的に金属薄膜を形成し、次に金属薄膜を残しておきたい部分にレジスト層を形成し、酸又はアルカリでエッチングを行い、レジスト層を除去する方法がある。【００４４】
また、ハウジングケース１が表示装置を備えた機器のハウジングケースである場合、前記平面板２が、少なくとも前記表示装置のための表示窓部を除いて、前記ガラス板の表面または／および裏面に加飾が施されたものであってもよい（図１３参照）。図１３中、（ｂ）は（ａ）の分解図であり、２Ａは加飾部、２Ｂは非加飾部を示す。前記ガラス板の表面に加飾が施された場合、前記ガラス板は充分な硬度（９Ｈ以上）を有しているため傷付きにくく、非加飾部２Ｂにおいて当該ガラス板を通して視認される表示装置の表示画面はその見やすさが損なわれることはない。また、前記ガラス板の裏面に加飾が施された場合、前記ガラス板は充分な硬度（９Ｈ以上）を有しているため傷付きにくく、前記ガラス板の表面に加飾が施された場合と同様に表示画面の見やすさが損なわれないだけでなく、加えて加飾部２Ａにおいて前記ガラス板を通して視認される裏面の加飾はその美しさも損なわれることはない。【００４５】
また、本発明のハウジングケース１は、前記平面板２が、前記平面板２と前記樹脂枠３との密着力を向上させるための層を有していてもよい。例えば、ガラス板２Ｅの裏面に加飾が施されておらず、前記ガラス板２Ｅの裏面と前記樹脂枠３とが、ガラス用接着剤層２Ｆ、プライマー層２Ｇ、樹脂用接着剤層２Ｈを介して一体化されているようにすることができる（図１４参照）。なお、図１４は、平面板２の断面拡大図であり、図１４中の２Ｄは表面加飾層である。【００４６】
ガラス用接着剤層２Ｆには、公知のガラス用接着剤を使用すればよく、例えば、ポリエステル系樹脂からなるガラス用接着剤を用いることができる。【００４７】
プライマー層２Ｇとしては、公知のプライマー材料を使用すればよく、例えば、ポリエステル系樹脂からなるプライマー材料を用いることができる。また、ガラス用接着剤層２Ｆと樹脂用接着剤層２Ｈの密着力が高い場合には、プライマー層２Ｇを省略することもできる。【００４８】
樹脂用接着剤層２Ｈとしては、公知のガラス用接着剤を使用すればよく、例えば、塩酢ビ・アクリル系樹脂からなる樹脂用接着剤を用いることができる。【００４９】
また、本発明のハウジングケース１は、前記平面板２が、次に示すような前記平面板２と前記樹脂枠３との密着力を向上させるための層を有していてもよい。すなわち、前記ガラス板２Ｅの裏面に加飾が施され、且つ前記加飾を構成する層が前記平面板２の裏面と前記樹脂枠３との一体化部分においてガラス用接着剤層を兼ねており、前記平面板２の裏面と前記樹脂枠３とが、プライマー層２Ｇ、樹脂用接着剤層２Ｈを介して一体化されているようにすることができる（図１５参照）。なお、図１５は、平面板２の断面拡大図である。また、図１５中の２Ｉは裏面加飾層であり、一体化部分においてガラス用接着剤層を兼ねている。この加飾兼ガラス用接着剤層２Ｊとしては、前記ガラス用接着剤層２Ｆと同様の材料に適切な色の顔料または染料を着色剤として含有させたものを用いることができる。なお、この場合、前記ガラス板は充分な硬度（９Ｈ以上）を有しているため傷付きにくく、当該ガラス板を通して視認される裏面の加飾はその美しさが損なわれることはない。【００５０】
前記ガラス用接着剤層２Ｆ、前記プライマー層２Ｇ、前記樹脂用接着剤層２Ｈ及び前記加飾兼ガラス用接着剤層２Ｊの形成方法としては、スクリーン印刷法などを用いるとよい。【００５１】
また、本発明のハウジングケース１は、前記平面板２が、開口部２Ｃを有しているように構成してもよい（図１６参照）。図１６に示すハウジングケース１は、図示しないもう一方のバックケースとともに一体化され、これらの内側に、フラッシュメモリ等の電子素子、液晶パネル等の表示装置、操作音を出すための圧電スピーカー、バッテリー、並びに開口部２Ｃに嵌入される操作パネルを配した基板を保持することにより、デジタルオーディオプレーヤーが構成される。なお、図１６中、（ｂ）は（ａ）の分解図である。【００５２】
また、本発明のハウジングケース１が前記平面板２に前記開口部２Ｃを有する場合、図１７に示すように前記開口部２Ｃ周囲を支持するように前記平面板２に一体化された開口部用樹脂枠４をさらに備えるようにするとよい。このように構成することにより、ハウジングケース１の強度を増すことができる。なお、開口部用樹脂枠４についても前記樹脂枠３と同様の各種実施態様をとることができる。なお、図１７中、（ｂ）は（ａ）の分解図である。【００５３】
また、本発明のハウジングケース１は、図２、図５及び図６に示すように前記平面板２の側面を前記樹脂枠３が覆って段差が生じないようにすると、製品の使用時に前記平面板２の側面が何かに引っ掛かって前記平面板２と前記樹脂枠３の剥離するおそれがない。【００５４】
２．ガラスインサート成型用金型およびハウジングケースの製造方法
次に、ガラスインサート成型用金型およびハウジングケースの製造方法について説明する。まず、本実施形態において得られるハウジングケース１を、図２６、図２９、図３０、図３３及び図３５を参照しながら説明する。これらの図に示すハウジングケース１は、当該ハウジングケース正面面積のほとんどを占め少なくともガラス板で構成される平面板２と、前記平面板２の裏面周縁部を支持し且つ前記平面板２の端面のうち少なくとも当該支持部分に連続する部分を被覆するように前記平面板２に一体化された樹脂枠３とを備えたものである。なお、図２６、図２９、図３０、図３３及び図３５中、（ａ）は正面図、（ｂ）は背面図、（ｃ）及び（ｄ）は断面図である。図示しないもう一方のバックケースとともに一体化され、これらの内側に、各種電子部品を搭載した基板を保持することにより、小型の電気機器や通信機器が構成される。【００５５】
本発明においては、前記平面板２の裏面のうち周縁部において一体化する樹脂枠３をインサート成形している。例えば、図２６、図３３及び図３５においては前記樹脂枠３は前記平面板２の裏面周縁部の全てを、図２９及び図３０においては前記樹脂枠３は前記平面板２の裏面周縁部のうち一部を切り欠いた略Ｃ字状部分を支持している。本発明の樹脂枠３は前記平面板２と全面的に密着していないので、当該樹脂枠３が冷却固化時に成形収縮しても、その影響は前記平面板２全面までおよびにくい。したがって、得られたハウジングケースに反りが発生することを防止できる。【００５６】
また、本発明は、前記平面板２の端面を前記樹脂枠３が覆っているので、製品の使用時に前記平面板２の端面が何かに引っ掛かって前記平面板２と前記樹脂枠３の剥離するおそれがない。【００５７】
前記平面板２と前記樹脂枠３との一体化は、以下に説明するガラスインサート成形用金型を用いて行われる。【００５８】
このガラスインサート成形用金型は、型締めによって固定型１５と可動型１０との間にガラス板を主構成とする平面板２を挟持するとともに、前記平面板２の前記固定型１５との対向面周縁部及び前記平面板２の端面が面するキャビティを形成する金型であって、前記固定型１５が、前記平面板２の当該固定型１５との対向面周縁部に接する底部（以下、先端底部５ｂという）と当該先端底部５ｂに連続して前記平面板２の端面に位置決め可能に接触する壁部（以下、先端壁部５ａという）とを先端に有するスライドコア５と、前記平面板２を挟持する面（以下、平面板当接面７という）に設けられた吸引孔８とを備えている（図１８及び図１９参照）。ここで、図１９は、図１８のＸＩＸ−ＸＩＸ線断面図である。【００５９】
前記スライドコア５は、図示しない駆動部により、前記先端底部５ｂを前記固定型１５の前記平面板２を挟持する面より突出させず且つ前記先端壁部５ｂを前記平面板２と接触させる平面板位置決め位置Ｉ（図１９、図２１及び図２２参照）と、前記先端底部５ａ及び前記先端壁部５ｂを共に前記平面板２と離間させるキャビティ形成位置II（図２３、図２４参照）との間を、型締め方向に進退可能である。また、スライドコア５は、必要に応じて前記先端底部５ａを前記固定型１５の前記平面板当接面７より突出させるガラスインサート成形品押出し位置III（図２５参照）まで前進可能とすることができる。【００６０】
なお、図１９、図２１及び図２２では、前記スライドコア５の前記先端底部５ｂと前記固定型１５の前記平面板当接面７が面一で接しているが、両者の間に溝部１４が形成されていてもよい（図３４参照）。この場合、成形時に溝部１４に充填される分だけ前記平面板２の裏面周縁部に一体化する前記樹脂枠３の面積が広くなる。また、前記平面板位置決め位置Ｉについては、図１９、図２１及び図２２に示すように前記先端底部５ｂを前記固定型１５の前記平面板当接面７に揃えてもよいが、前記先端壁部５ｂを前記平面板２の端面と接触させることができれば位置決め可能なので、前記先端底部５ｂが前記固定型１５の前記平面板当接面７より後退していてもよい。【００６１】
前記平面板２の端面に位置決め可能に接触する前記先端壁部５ａとは、金型パーティング面６に垂直な方向から見た場合に、例えば図１８に示すような対向する２つのコ字状とすることができる。もちろん、この実施態様に限定されるものではなく、前記平面板２の形状に応じて前記平面板２が位置ずれしないような配置を適宜決定すればよく、例えば、平面板２の各コーナーに前記先端壁部５ａを配置したり、平面板２の各辺の一部に前記先端壁部５ａを配置したりするなどできる。前記平面板２の形状としては、図１８に示すような角に丸みを帯びた矩形の他、角に丸みのない矩形、楕円形状など自由である。また、前記スライドコア５の数も限定されない。さらには、前記スライドコア５は、図１８のように前記平面板２の全周に対して部分的に設けてもよいし、前記平面板２の全周を前記先端壁部５ａで完全に囲ってもよい。【００６２】
上述のように構成されたガラスインサート成形用金型を用いてハウジングケース１を製造する方法について説明する。【００６３】
まず、前記スライドコア５を前記平面板位置決め位置Ｉに移動させた状態で、前記固定型１５の前記平面板当接面７上に、前記平面板２を配置する（図２０、図２１参照）。ここで、図２１は、図２０のＸＸＩ−ＸＸＩ線断面図である。【００６４】
そして、この位置決め状態で、前記平面板当接面７に設けられた前記吸引孔８からエアー１２を吸引することにより、当該平面板当接面７に前記平面板２を吸着固定する（図２２参照）。なお、前記平面板の吸着固定にはエアー吸引以外の手段を用いてもよく、例えば前記平面板２を挟持する面に吸盤を設けてもよい。【００６５】
さらに、可動型１０を前記平面板２を吸着した前記固定型１５に向かって前進移動させ型締めし、前記可動型１０と前記固定型１５の前記平面板当接面７との間に前記平面板２を挟持するとともに、前記固定型１５と前記可動型１０と前記平面板２とにより金型空間であるキャビティ１３を形成する（図２３参照）。ここで、前記スライドコア５は、図示しない駆動部により、前記先端底部５ｂが前記平面板２の裏面周縁部と所定の距離だけ離間する位置まで後退移動して、前記スライドコア５の前記先端壁部５ａ及び前記先端底部５ｂと今まで接していた部分まで溶融樹脂の充填を可能としている（キャビティ形成位置II）。なお、前記スライドコア５の後退移動は、前記可動型１０の前進移動開始直前、前進移動中、前進移動完了直後のいずれのタイミングでおこなってもよい。【００６６】
その後に、前記スライドコア５を前記キャビティ形成位置IIに移動させた状態で、ゲート１１を通じて射出した溶融樹脂を前記キャビティ１３内に充填することにより、前記樹脂枠３が、前記平面板２の裏面周縁部を支持し且つ前記平面板２の端面のうち少なくとも当該支持部分に連続する部分を被覆するように前記平面板２に一体化され、ガラスインサート成形品である前記ハウジングケース１が得られる（図２４参照）。【００６７】
前記溶融樹脂の材料としては、ポリスチレン系樹脂、ポリオレフィン系樹脂、ＡＢＳ樹脂、ＡＳ樹脂、ＡＮ樹脂などの汎用樹脂を挙げることができる。また、ポリフェニレンオキシド・ポリスチレン系樹脂、ポリカーボネート系樹脂、ポリアセタール系樹脂、ポリアクリル系樹脂、ポリカーボネート変性ポリフェニレンエーテル樹脂、ポリブチレンテレフタレート樹脂、ポリブチレンテレフタレート樹脂、超高分子量ポリエチレン樹脂などの汎用エンジニアリング樹脂やポリスルホン樹脂、ポリフェニレンサルファイド系樹脂、ポリフェニレンオキシド系樹脂、ポリアリレート樹脂、ポリエーテルイミド樹脂、ポリイミド樹脂、液晶ポリエステル樹脂、ポリアリル系耐熱樹脂などのスーパーエンジニアリング樹脂を使用することもできる。とくに成形収縮率０．６％以下の物性を持つ樹脂材料を樹脂枠３に用いると前記反り防止の点でより好ましく、例えばポリアクリル系樹脂などである。また、樹脂枠３は、着色されていても、着色されていなくてもよい。【００６８】
そして、前記可動型１０を前記固定型１５から離間するように後退移動、すなわち型開きした後、前記スライドコア５を前記駆動部により前記ガラスインサート成形品押出し位置IIIに前進移動させる（図２５参照）。これにより、スライドコア５がエジェクターピンの役割を果たし、ハウジングケース１は固定型１５から良好に引離されることになり、この金型装置から容易に取り外すことが可能になる。なお、別に専用のエジェクターピンが存在する場合は、前記スライドコア５によってガラスインサート成形品押出しを行なわなくてもよい。【００６９】
上述のように、本実施形態による前記ガラスインサート成形用金型を用いたハウジングケースの製造方法によれば、スライドコア５が、裏面周縁部を支持する樹脂枠３を成形するためのキャビティを形成するのみならず、平面板２の位置決め機構、さらに必要に応じてガラスインサート成形品の押出し機構を兼ねるため、ハウジングケース１の製造が低コストで容易に行える。【００７０】
なお、前記平面板２と前記樹脂枠３との一体化物は、蓋型（図２６、図２９及び図３０参照）とすることもできるし、箱型（図３３、図３５参照）とすることもできる。なお、図２６（ｃ）及び（ｄ）は、夫々図２６（ｂ）におけるＸＸＶＩｃ−ＸＸＶＩｃ断面図、ＸＸＶＩｄ−ＸＸＶＩｄ断面図である。また、図２９（ｃ）及び（ｄ）は、夫々図２９（ｂ）におけるＸＸＩＸｃ−ＸＸＩＸｃ断面図、ＸＸＩＸｄ−ＸＸＩＸｄ断面図であり、図３０（ｃ）及び（ｄ）は、夫々図３０（ｂ）におけるＸＸＸｃ−ＸＸＸｃ断面図、ＸＸＸｄ−ＸＸＸｄ断面図である。また、箱型とする場合でも、図３３に示すようにスライドコア５の外側に箱の側壁用のキャビティを形成するタイプや、図３５に示すようにスライドコア５の後退により側壁用のキャビティを形成するタイプが考えられる。図３３及び図３５も上記と同様に、図３３（ｃ）及び（ｄ）は、夫々図３３（ｂ）におけるＸＸＸＩＩＩｃ−ＸＸＸＩＩｃ断面図、ＸＸＸＩＩｄ−ＸＸＸＩＩｄ断面図であり、図３５（ｃ）及び（ｄ）は、夫々図３５（ｂ）におけるＸＸＸＶｃ−ＸＸＸＶｃ断面図、ＸＸＸＶｄ−ＸＸＸＶｄ断面図である。【００７１】
また、前記平面板２のうちスライドコア５に対応しない部分は、図２６、図３３及び図３５に示すようにその裏面周縁部及び端面全てにおいて前記樹脂枠３と一体化する必要はなく、例えば図２９に示すように端面においてのみ前記樹脂枠３と一体化している部分があってもよいし、図３０に示すように裏面周縁部及び端面のいずれにおいても前記樹脂枠３と一体化していない部分があってもよい。図２９に示すハウジングケース１を得るためには、図２７に示すように、図１８における平面板当接面７をキャビティ形成部９の下側内壁まで拡大し、前記ガラス板２の裏面周縁部の該当部分に溶融樹脂が充填されないようにする。また、図３０に示すハウジングケース１を得るためには、図２８に示すように、図１８における平面板当接面７はそのままに当該平面板当接面７下端までキャビティ形成部９の下側内壁を移動させ、前記ガラス板２の裏面周縁部及び端面の該当部分に溶融樹脂が充填されないようにする。【００７２】
また、前記平面板２は、図２６、図２９、図３０、図３３及び図３５に示すようにガラス板に加飾が施されたものでもよいし、ガラス板に加飾が施されていないスケルトンタイプでもよい。図２６、図２９、図３０、図３３及び図３５中、２Ａは加飾部、２Ｂは透明窓となる非加飾部である。【００７３】
前記ガラス板の裏面への加飾は、加飾層を印刷形成することによって施す。加飾層の材質としては、ポリ塩化ビニル系樹脂、ポリアミド系樹脂、ポリエステル系樹脂、ポリアクリル系樹脂、ポリウレタン系樹脂、ポリビニルアセタール系樹脂、ポリエステルウレタン系樹脂、セルロースエステル系樹脂、アルキド樹脂などの樹脂をバインダーとし、適切な色の顔料または染料を着色剤として含有する着色インキを用いるとよい。印刷方法としては、スクリーン印刷法などを用いるとよい。また、単色ベタの場合には、スプレーコート法などの各種コート法を採用することもできる。【００７４】
また、加飾層は、金属薄膜層からなるもの、あるいは印刷層と金属薄膜層との組み合わせからなるものでもよい。金属薄膜層は、加飾層として金属光沢を表現するためのものであり、真空蒸着法、スパッターリング法、イオンプレーティング法、鍍金法などで形成する。この場合、表現したい金属光沢色に応じて、アルミニウム、ニッケル、金、白金、クロム、鉄、銅、スズ、インジウム、銀、チタニウム、鉛、亜鉛などの金属、これらの合金又は化合物を使用する。部分的な金属薄膜層を形成する場合の一例としては、金属薄膜層を必要としない部分に溶剤可溶性樹脂層を形成した後、その上に全面的に金属薄膜を形成し、溶剤洗浄を行って溶剤可溶性樹脂層と共に不要な金属薄膜を除去する方法がある。この場合によく用いられる溶剤は、水又は水溶液である。また、別の一例としては、全面的に金属薄膜を形成し、次に金属薄膜を残しておきたい部分にレジスト層を形成し、酸又はアルカリでエッチングを行い、レジスト層を除去する方法がある。【００７５】
また、前記平面板２の前記樹脂枠３との一体化面を粗面化しておけば、前記平面板２と前記樹脂枠３との密着力を向上させることができる。【００７６】
また、本発明のガラスインサート成形用金型は、前記平面板２を吸着した前記固定型１５と前記可動型１０との間に転写フィルム１７を挟み込み可能である成形同時絵付け手段１６を備え（図３６参照）、前記平面板２を吸着した前記固定型１５と前記可動型１０との間に転写フィルム１７を挟み込む工程を経た後に型締めすることにより（図３７参照）、溶融樹脂の射出と同時に前記転写フィルム１７の絵付け部分を前記平面板２に一体化された前記樹脂枠３に転写することができる。すなわち、本発明のガラスインサート成形用金型に、成形同時転写用金型としての働きもさせるものである。【００７７】
前記転写フィルム１７は、長尺状の基体シート上に転写層を有するものである。転写層は、剥離層、図柄層、接着層などが順次積層されたものである。剥離層は基体シートと転写層との剥離性を付与する層である。図柄層は射出成形品表面に装飾性や機能性を付与する層である。図柄層は通常の印刷図柄や導電材で形成された導電パターンなどがある。接着層は転写層と成形品である前記樹脂枠３とを接着させる層である。【００７８】
前記転写フィルム１７は、図３６に示すようなフィルム送り装置によって、前記転写フィルム１５の絵付け部分が金型間に所定ピッチづつ送り込まれるようにしてもよい。あるいは枚葉で送りこまれるようにしてもよい。【００７９】
なお前記様々な実施形態のうちの任意の実施形態を適宜組み合わせることにより、それぞれの有する効果を奏するようにすることができる。本発明は、添付図面を参照しながら好ましい実施形態に関連して充分に記載されているが、この技術の熟練した人々にとっては種々の変形や修正は明白である。そのような変形や修正は、請求の範囲による本発明の範囲から外れない限りにおいて、その中に含まれると理解されるべきである。【００８０】
以下に、上記実施形態における数値の一例を記載する。しかしながら、本発明の適用範囲は、これに限定されるものではない。【００８１】
（実施例１）
縦８８ｍｍ、横３８ｍｍ、厚み１ｍｍのガラス板に操作パネル用の円形の開口部を設けた。次いで、前記ガラス板の一方の面にポリエステル系樹脂をバインダーとして着色剤を含有するインキを用い、液晶画面用の表示窓部を除いてスクリーン印刷法にて加飾層を形成した。次に、前記ガラス板について加飾の施されていない面の周縁部全周には、スクリーン印刷法にてポリエステル系樹脂からなるガラス用接着剤層、ポリエステル系樹脂からなるプライマー層、塩酢ビ・アクリル系樹脂からなる樹脂用接着剤層を順次形成して平面板を得た。【００８２】
この平面板を、可動型と固定型とからなる成形用金型内に送り込み、真空吸引でキャビティ面の所定位置に固定し、成形用金型を閉じた後、ゲートより溶融状態のポリアクリル系樹脂をキャビティ内に射出充満させ、矩形の樹脂枠を形成するのと同時にその樹脂枠と前記平面板の非加飾面とを樹脂用接着剤層、プライマー層、ガラス用接着剤層を介して接着させた。前記樹脂枠を冷却した後、成形用金型を開いて前記平面板の裏面周縁部全周にて前記樹脂枠と一体化した物を取り出し、縦９０ｍｍ、横４０ｍｍ、高さ４ｍｍ、角部Ｒ１ｍｍのデジタルオーディオプレーヤー用ハウジングケースを得た。【００８３】
（実施例２）
縦８８ｍｍ、横３８ｍｍ、厚み１ｍｍのガラス板に操作パネル用の円形の開口部を設けた。次いで、前記ガラス板の一方の面に液晶画面用の表示窓部を除いてスクリーン印刷法にてポリエステル系樹脂をバインダーとして着色剤を含有するインキを用いて加飾兼ガラス用接着剤層を形成し、さらに前記ガラス板の加飾の施された面の周縁部全周には、スクリーン印刷法にてポリエステル系樹脂からなるプライマー層、塩酢ビ・アクリル系樹脂からなる樹脂用接着剤層を順次形成して平面板を得た。【００８４】
この平面板を、可動型と固定型とからなる成形用金型内に送り込み、真空吸引でキャビティ面の所定位置に固定し、成形用金型を閉じた後、ゲートより溶融状態のポリアクリル系樹脂をキャビティ内に射出充満させ、矩形の樹脂枠を形成するのと同時にその樹脂枠と前記平面板の加飾面とを樹脂用接着剤層、プライマー層を介して接着させた。前記樹脂枠を冷却した後、成形用金型を開いて前記平面板の裏面周縁部全周にて前記樹脂枠と一体化した物を取り出し、縦９０ｍｍ、横４０ｍｍ、高さ４ｍｍ、角部Ｒ１ｍｍのデジタルオーディオプレーヤー用ハウジングケースを得た。【００８５】
（実施例３）
前記ガラス板の周縁部だけでなく、前記平面板の非加飾面の開口部周囲全体にもガラス用接着剤層、プライマー層、樹脂用接着剤層を順次設けて平面板を得、さらに射出成形によって矩形の樹脂枠及び円形の開口部用樹脂枠を形成するのと同時にその樹脂枠及び開口部用樹脂枠と前記平面板の非加飾面とを樹脂用接着剤層、プライマー層、ガラス用接着剤層を介して接着させた点以外、実施例１と同様とした。【００８６】
（実施例４）
前記ガラス板の周縁部だけでなく、前記平面板の加飾面の開口部周囲全体にもプライマー層、樹脂用接着剤層を順次設けて平面板を得、さらに射出成形によって矩形の樹脂枠及び円形の開口部用樹脂枠を形成するのと同時にその樹脂枠及び開口部用樹脂枠と前記平面板の加飾面とを樹脂用接着剤層、プライマー層を介して接着させた点以外、実施例２と同様とした。【００８７】
（実施例５）
樹脂枠が２つに分割されている点以外、実施例３と同様とした。【００８８】
（実施例６）
樹脂枠及び開口部用樹脂枠が各々２つに分割されている点以外、実施例４と同様とした。【００８９】
（実施例７）
縦８８ｍｍ、横３８ｍｍ、厚み１ｍｍのガラス板に操作パネル用の円形の開口部を設けた。次いで、前記ガラス板の一方の面にポリエステル系樹脂をバインダーとして着色剤を含有するインキを用い、液晶画面用の表示窓部を除いてスクリーン印刷法にて加飾層を形成した。次に、前記ガラス板について加飾の施されていない面の周縁部全周には、スクリーン印刷法にてポリエステル系樹脂からなるガラス用接着剤層、ポリエステル系樹脂からなるプライマー層、塩酢ビ・アクリル系樹脂からなる樹脂用接着剤層を順次形成して平面板を得た。【００９０】
前述した本発明のガラスインサート成形用金型を用い、前記スライドコアを前記平面板位置決め位置に移動させた状態で、前記固定型の前記平面板を挟持する面に前記平面板を配置し、位置決めされた前記平面板を前記吸引孔からエアーを吸引することにより前記平面板を挟持する面に吸着固定した。次いで、前記平面板を吸着した前記固定型と前記可動型とを型締めした後に、前記スライドコアを前記キャビティ形成位置に移動させた状態でキャビティ内に溶融樹脂を射出することにより前記平面板に樹脂枠を一体化した。型開き後に、前記スライドコアを前記ガラスインサート成形品押出し位置に移動させてガラスインサート成形品を取り出し、縦９０ｍｍ、横４０ｍｍ、高さ４ｍｍ、角部Ｒ１ｍｍのデジタルオーディオプレーヤー用ハウジングケースを得た。【００９１】
（実施例８）
縦８８ｍｍ、横３８ｍｍ、厚み１ｍｍのガラス板に操作パネル用の円形の開口部を設けた。次いで、前記ガラス板の一方の面に液晶画面用の表示窓部を除いてスクリーン印刷法にてポリエステル系樹脂をバインダーとして着色剤を含有するインキを用いて加飾兼ガラス用接着剤層を形成し、さらに前記ガラス板の加飾の施された面の周縁部全周には、スクリーン印刷法にてポリエステル系樹脂からなるプライマー層、塩酢ビ・アクリル系樹脂からなる樹脂用接着剤層を順次形成して平面板を得た。【００９２】
実施例７と同様のガラスインサート成形を行ない、縦９０ｍｍ、横４０ｍｍ、高さ４ｍｍ、角部Ｒ１ｍｍのデジタルオーディオプレーヤー用ハウジングケースを得た。【００９３】
実施例１〜８のいずれのハウジングケースも、ケースの正面部分、特にＬＣＤ等の表示画面を覆う部分に充分な硬度を与えることができるものであった。
【産業上の利用可能性】
【００９４】
本発明は、例えば小型の電気機器や通信機器のハウジングケースと、当該ハウジングケースの製造方法とこれに用いるガラスインサート成形用金型に好適に利用することが可能である。
【図１】
2008035736.tif 000003
【図２】
2008035736.tif 000004
【図３】
2008035736.tif 000005
【図４】
2008035736.tif 000006
【図５】
2008035736.tif 000007
【図６】
2008035736.tif 000008
【図７】
2008035736.tif 000009
【図８】
2008035736.tif 000010
【図９】
2008035736.tif 000011
【図１０】
2008035736.tif 000012
【図１１】
2008035736.tif 000013
【図１２】
2008035736.tif 000014
【図１３】
2008035736.tif 000015
【図１４】
2008035736.tif 000016
【図１５】
2008035736.tif 000017
【図１６】
2008035736.tif 000018
【図１７】
2008035736.tif 000019
【図１８】
2008035736.tif 000020
【図１９】
2008035736.tif 000021
【図２０】
2008035736.tif 000022
【図２１】
2008035736.tif 000023
【図２２】
2008035736.tif 000024
【図２３】
2008035736.tif 000025
【図２４】
2008035736.tif 000026
【図２５】
2008035736.tif 000027
【図２６】
2008035736.tif 000028
【図２７】
2008035736.tif 000029
【図２８】
2008035736.tif 000030
【図２９】
2008035736.tif 000031
【図３０】
2008035736.tif 000032
【図３１】
2008035736.tif 000033
【図３２】
2008035736.tif 000034
【図３３】
2008035736.tif 000035
【図３４】
2008035736.tif 000036
【図３５】
2008035736.tif 000037
【図３６】
2008035736.tif 000038
【図３７】
2008035736.tif 000039
【図３８】
2008035736.tif 000040
【図３９】
2008035736.tif 000041
【国際調査報告】
2008035736.tif 000042
2008035736.tif 000043
2008035736.tif 000044
2008035736.tif 000045
2008035736.tif 000046
2008035736.tif 000047